【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
プラグコネクタと、差動信号伝送のための少なくとも１つのワイヤペアを有する前記プラグコネクタに取り付けられたケーブルとを備えたプラグコネクタ構造であって、前記ワイヤペアのワイヤは、外装付きケーブルセクションにおいて第１の相互の距離（Ｘ）だけ互いに離間しており、前記プラグコネクタの方向に、拡幅セクションにおいて分岐し、前記プラグコネクタのガイドセクションにおいて、より大きい第２の相互の距離（Ｙ）だけ互いに離間しており、さらに、前記ワイヤペアの前記ワイヤ間の距離を縮小するために前記ワイヤペアのワイヤに部分的に圧力を加え、前記拡幅セクション内で前記ワイヤペアを少なくとも部分的に包囲するスリーブ部を備え、
前記スリーブ部は、前記スリーブ部内を通る前記ワイヤペアのワイヤ間の距離をさらに縮小するために、例えば押圧または圧着による外側からの圧力印加により、半径方向に変形することを特徴とするプラグコネクタ構造。
【請求項２】
前記スリーブ部は、前記ワイヤペアを完全に包囲するスリーブであるか、または、前記ワイヤペアを少なくとも部分的に包囲するクランプ部であることを特徴とする請求項１に記載のプラグコネクタ構造。
【請求項３】
前記スリーブ部が、前記ケーブル（Ｌ）の長手方向に対して、円錐状または凸状に傾斜した内面を有し、好ましくは前記スリーブ部の内径は、そのケーブル側の端部で前記第１の相互の距離（Ｘ）に概ね整合され、そのプラグコネクタ側の端部で前記第２の相互の距離（Ｙ）に概ね整合されていることを特徴とする請求項１または２に記載のプラグコネクタ構造。
【請求項４】
前記スリーブ部は、前記外装付きケーブルセクションから出た後で、前記ワイヤが、前記第１の相互の距離（Ｘ）だけ実質的に離間して平行に通り続け、次に、前記ガイドセクションの方向により顕著な曲率をもって前記拡幅セクション内で分岐するように配置され形成されることを特徴とする請求項１から３のいずれか一項に記載のプラグコネクタ構造。
【請求項５】
前記拡幅セクションへと突出するスペーサは、前記ワイヤペアの前記ワイヤの間に配置され、前記スリーブ部によって前記ワイヤが押し付けられることを特徴とする請求項１から４のいずれか一項に記載のプラグコネクタ構造。
【請求項６】
前記スリーブ部および／または前記スペーサは、非導電性材料製であることを特徴とする請求項５に記載のプラグコネクタ構造。
【請求項７】
前記ケーブルは、前記ワイヤペアを包囲する外部導体を有し、前記プラグコネクタは、前記外部導体に電気的に接続される外側導体部を有することを特徴とする請求項１から６のいずれか一項に記載のプラグコネクタ構造。
【請求項８】
前記外部導体は、前記外側導体部と押し合わされるか圧着されることを特徴とする請求項７に記載のプラグコネクタ構造。
【請求項９】
前記スリーブ部は、少なくともそのケーブル側の端部において、前記ケーブルの前記外部導体と略同一の内径を有し、前記ワイヤペアのシールドを前記プラグコネクタの方向に継続することを特徴とする請求項７または８に記載のプラグコネクタ構造。
【請求項１０】
前記プラグコネクタは、前記ケーブルの長手方向に対して横断方向に離間した前記ワイヤペアの前記ワイヤのためのガイド通路を有する絶縁部を備え、前記ガイド通路は前記ガイドセクションを形成することを特徴とする請求項１から９のいずれか一項に記載のプラグコネクタ構造。
【請求項１１】
前記ワイヤペアの前記ワイヤはそれぞれ、それらのプラグコネクタ側の端部において、前記プラグコネクタの内部導体コンタクト要素と接続されることを特徴とする請求項１から１０のいずれか一項に記載のプラグコネクタ構造。
【請求項１２】
前記プラグコネクタの前記ガイドセクションにおいて前記ワイヤはそれぞれ、前記ワイヤ間の距離を縮小するために、前記拡幅セクションに隣接した導電性材料製のワイヤスリーブによって包囲されることを特徴とする請求項１から１１のいずれか一項に記載のプラグコネクタ構造。
【請求項１３】
前記拡幅セクションに対面する各ワイヤスリーブの端部は前記ワイヤの絶縁部を包囲し、および／または、各ワイヤスリーブの他端は、絶縁されないワイヤ導体を包囲して絶縁されないワイヤ導体と電気的に接触し、好ましくは前記ワイヤスリーブの両端はそれぞれ、前記ワイヤに圧着されることを特徴とする請求項１２に記載のプラグコネクタ構造。
【請求項１４】
前記スリーブ部は、クランプスリーブ、クリップスリーブまたはＣスリーブであることを特徴とする請求項２に記載のプラグコネクタ構造。
【請求項１５】
前記スリーブ部および／または前記スペーサは、プラスチック材料であることを特徴とする請求項６に記載のプラグコネクタ構造。
【請求項１６】
前記外側導体部は、外部導体ハウジングであることを特徴とする請求項７に記載のプラグコネクタ構造。
【請求項１７】
前記外側導体部は、導体ブレードの形態であることを特徴とする請求項８に記載のプラグコネクタ構造。
【請求項１８】
前記ワイヤペアの前記ワイヤはそれぞれ、それらのプラグコネクタ側の端部において、前記プラグコネクタの内部導体コンタクト要素と一体に圧着されることを特徴とする請求項１１に記載のプラグコネクタ構造。
【手続補正２】
【補正対象書類名】明細書
【補正対象項目名】０００１
【補正方法】変更
【補正の内容】
【０００１】
本発明は、コネクタと、コネクタに接続されたケーブルを備えるプラグコネクタ構造に関する。差動信号を伝送するための少なくとも1つのワイヤペアがケーブル内に通り、ワイヤペアのワイヤはケーブルの内部で第１の相互の距離だけ離間している。この第１の相互の距離は、ワイヤペアが外部ケーブル層によって外装されることで達成され、外部ケーブル層は例えば、ワイヤペアの外側で当接して配置されケーブルの内部でワイヤペアを第１の相互の距離だけ離間させて保持する、外部導体（例えば導体ブレードまたは箔シールド）、絶縁体および／または保護外装等である。それにより、ワイヤ間の相互の距離は、ケーブル長手方向に垂直な２本のワイヤの中心間で測定される。ワイヤペアの２本のワイヤは、外装付きケーブルセクションから開始して、プラグコネクタのガイドセクションに入るまで拡幅セクション内でプラグコネクタの方向に分岐し、ガイドセクション内で２本のワイヤは、第１の相互の距離よりも大きい第２の相互の距離だけ離間する。
【手続補正３】
【補正対象書類名】明細書
【補正対象項目名】０００８
【補正方法】変更
【補正の内容】
【０００８】
本発明は、ケーブル内部とプラグコネクタ内部の両方における特性インピーダンスまたはインピーダンスが、ワイヤペアのワイヤの幾何学的形状または相互の配置と、それらの間に配置される誘電体の組み合わせとによって、特定の好ましくは標準化された値に設定され、特性インピーダンスの急激な変化は、ワイヤ間の距離の変化およびこの位置における誘電性の変化の結果として、ケーブルとプラグコネクタ間の移行部で起こり得るという知見に基づいている。例えば、ジャンプ、変動およびその他の非均一性の急激な変化は、上記に説明した干渉、例えば信号反射、を招き得る。したがって、ワイヤ間の距離が変化するケーブルの長手方向の距離を短縮して、この領域におけるワイヤペアの幾何学的形状を、特性インピーダンスの急激な変化が低減または回避されるように構成すると有効である。これは、本発明により、ワイヤ間の距離を短縮するために、ワイヤペアを包囲するスリーブ部に通して２本のワイヤを拡幅セクションにおいて押し合わせることによって実現される。言い換えると、ワイヤペアに、スリーブ部を介して外側から半径方向に圧力がかけられ、その結果、ワイヤペアがケーブルの外部層によってもはや外装されていないプラグコネクタのガイドセクションの方向においても、ワイヤ間の第１の相互の距離が継続する。
【手続補正４】
【補正対象書類名】明細書
【補正対象項目名】００１２
【補正方法】変更
【補正の内容】
【００１２】
好ましくは、スリーブ部の内径は、そのケーブル側の端部で第１の相互の距離に概ね整合され、そのプラグコネクタ側の端部で第２の相互の距離に概ね整合されている。例えば、スリーブ部は、そのケーブル側の端部において、外装付きケーブルセクションのワイヤペア外装とほぼ同じ内径を有している。この内径は、第１の相互の距離＋ワイヤ径１回分に対応し得る。プラグコネクタ側端部でのスリーブ部の内径は、第２の相互の距離＋ワイヤ径１回分に対応し得る。
【手続補正５】
【補正対象書類名】明細書
【補正対象項目名】００２７
【補正方法】変更
【補正の内容】
【００２７】
図示の実施形態では、ケーブル２０は、シールド付きツイストペアケーブルであり、撚り合わされたワイヤ２２、２４と、導体ブレードの形態であり得るワイヤ２２、２４を包囲する外部導体２６とを備えている。ケーブルの内部には、２本のワイヤ２２、２４が特定の距離Ｘだけ離間してケーブルＬの長手方向に延びる。そのようなケーブルは、差動信号伝送に特に適しており、差動信号は例えばＲＦ信号、データ信号、通信信号等である。例えば反射等の干渉を回避するために、ケーブルＬの長手方向においてプラグコネクタ構造の全長にわたる特定のインピーダンス曲線が重要である。特に、特性インピーダンスの大きなばらつきまたは変動、インピーダンスの急激な変化等が望ましくない。
【手続補正６】
【補正対象書類名】明細書
【補正対象項目名】００２９
【補正方法】変更
【補正の内容】
【００２９】
２本のワイヤ２２、２４は、外装付きケーブルセクション３２から出た後で、拡幅セクション３４内で分岐し、分岐はワイヤ２２、２４がプラグコネクタ１０のガイドセクション３６に入るまで続く。ガイドセクション３６において、ワイヤ２２、２４はそれぞれ、絶縁部１４のガイド通路に配置され、それにより、２本のワイヤ２２、２４間の、規定された、より大きな第２の相互の距離Ｙが保証される。ガイドセクション３６において、ワイヤ２２、２４はそれぞれプラグコネクタ１０の内部導体コンタクト要素１６に電気的に接続される。プラグコネクタの内部導体コンタクト要素１６は、相手側のプラグコネクタ８０の相手の内部導体コンタクト要素と電気的に接触するように設計される。
【手続補正７】
【補正対象書類名】明細書
【補正対象項目名】００３１
【補正方法】変更
【補正の内容】
【００３１】
スリーブ部４０のコネクタ側の端部の内径は、概ね第２の相互の距離Ｙと第１の相互の距離Ｘとの差分だけ、スリーブ部４０のケーブル側の端部の内径よりも大きい。その結果、ケーブル内部でのワイヤ間の距離Ｘは、スリーブ部４０を介して、プラグコネクタの方向にさらに継続する。斜め外側に湾曲するスリーブ部の内面４２に沿ってのみ、ワイヤ２２、２４はより顕著な曲率で外側に湾曲し、それが、ワイヤがガイドセクション３６に進入するまで続く。